【手続補正書】
【提出日】平成18年11月10日(2006.11.10)
【手続補正１】
【補正対象書類名】明細書
【補正対象項目名】特許請求の範囲
【補正方法】変更
【補正の内容】
【特許請求の範囲】
【請求項１】  材料であって、
ａ）二つの互いに反対側に位置する表面を有する基板と、
ｂ）非破壊的な操作によって回転可能にでき、直径および円周を有し、前記基板内に設けられ、少なくとも二つの部分から成る少なくとも一つのエレメントであって、
各前記部分はそれぞれ関係する光学的変調特性を有し、
少なくとも一つの前記部分の光学的変調特性は少なくとも一つの別の前記部分の光学的変調特性と異なり、
少なくとも一つの前記部分は永久的に磁化されることが可能であり、少なくとも一つの前記部分は永久的に磁化されることが不可能であり、
前記エレメントは異方性を有することで電気的双極子モーメントを生成し、
前記電気的双極子モーメントが生成される中で前記回転エレメントが電界内に回転可能に配置される場合に、前記電気的双極子モーメントが前記電界に整列する向きへ前記エレメントが回転する傾向を帯びるという電気的応答性を、前記電気的双極子モーメントによって得る、少なくとも一つのエレメントと、
ｃ）一つの前記エレメントに関係して前記基板内に備えられ、前記関係する前記エレメントから間隔をあけて配置される少なくとも一つの軟磁性体パッドであって、
前記エレメントの永久的磁化可能な前記部分が磁化され、前記エレメントの少なくとも一つの磁化部分が前記軟磁性体パッドに最も近いエレメント部分になるように向けられた場合に、前記軟磁性体パッドと前記少なくとも一つの磁化部分との間に磁性の誘引力が存在するように構成され配置される、少なくとも一つの軟磁性体パッドと、
を有することを特徴とする材料。
【請求項２】  材料であって、
ｄ）二つの互いに反対側に位置する表面を有する基板と、
ｅ）非破壊的な操作によって回転可能にでき、直径および円周を有し、前記基板内に設けられ、少なくとも二つの部分から成る少なくとも一つのエレメントであって、
各前記部分はそれぞれ関係する光学的変調特性を有し、
少なくとも一つの前記部分の光学的変調特性は少なくとも一つの別の前記部分の光学的変調特性と異なり、
一つの前記部分は永久的に磁化されることが可能であり、一つの前記部分は永久的に磁化されることが不可能であり、
前記エレメントは異方性を有することで電気的双極子モーメントを生成し、
前記電気的双極子モーメントが生成される中で前記回転エレメントが電界内に回転可能に配置される場合に、前記電気的双極子モーメントが前記電界に整列する向きへ前記エレメントが回転する傾向を帯びるという電気的応答性を、前記電気的双極子モーメントによって得る、少なくとも一つのエレメントと、
ｆ）永久的に磁化された追加の手段であって、
前記エレメントの永久的磁化可能な前記部分が磁化され、前記エレメントの前記磁化部分が前記追加の永久的磁化手段に最も近接するエレメント部分になるように向けられた場合に、前記追加の永久的磁化手段と前記エレメントの前記磁化部分との間に磁性の誘引力が存在し、
前記エレメントの前記磁化部分が前記追加の永久的磁化手段から最も遠いエレメント部分になるように向けられた場合に、前記追加の永久的磁化手段と前記エレメントの前記磁化部分との間に磁性の反発力が存在するよう構成され配置される、追加の永久的磁化手段と、
を有することを特徴とする材料。
【請求項３】  少なくとも三つの部分から成るエレメントであって、
各前記部分はそれぞれ関係する光学的変調特性を有し、
少なくとも一つの前記部分の光学的変調特性は少なくとも一つの別の前記部分の光学的変調特性と異なり、
少なくとも一つの前記部分は永久的に磁化されることが可能であり、少なくとも一つの前記部分は永久的に磁化されることが不可能であり、
前記エレメントは異方性を有することで電気的双極子モーメントを生成し、
前記電気的双極子モーメントが生成される中で前記回転エレメントが電界内に回転可能に配置される場合に、前記電気的双極子モーメントが前記電界に整列する向きへ前記エレメントが回転する傾向を帯びるという電気的応答性を、前記電気的双極子モーメントによって得ることを特徴とするエレメント。
【請求項４】  回転エレメントディスプレイに用いる回転エレメントの作成方法であって、
ａ）硬化可能な液体から成り実質的に同じ方向に流れる少なくとも二つの平坦なストリームを設けるステップであって、
各前記ストリームはそれぞれ関係する光学的変調特性を有し、少なくとも一つのストリームの光学的変調特性は少なくとも一つの別のストリームの光学的変調特性と異なり、少なくとも一つのストリームは磁性顔料を含む、少なくとも二つの平坦なストリームを設けるステップと、
ｂ）前記ストリームを合流し、各前記液体が並列して含まれる液だめ部を形成するステップと、
ｃ）前記液だめ部からの各前記液体が並列して含まれる自由噴流を形成するステップと、
ｄ）前記自由噴流に直交するよう整列された磁界中に、前記自由噴流の少なくとも一部を通過させることにより、前記磁性顔料を磁化するステップと、
を含むことを特徴とする回転エレメント作成方法。
【請求項５】  回転エレメントディスプレイに用いる回転エレメントの製造装置であって、
ａ）その各々が直径と、二つの互いに反対側に位置する表面と、前記表面の両方に接触している端縁領域とを有する少なくとも一つのセパレータ部材と、
ｂ）少なくとも二つの液体フローを設ける手段であって、
前記少なくとも二つの液体フローはそれぞれ、関係するセパレータ部材と、前記関係するセパレータ部材上にて関係する表面とを有し、
前記少なくとも二つの液体フローの各前記液体フローは、前記関係するセパレータ部材上の前記関係する表面にわたり、前記関係するセパレータ部材の前記端縁領域へ延伸するよう設けられ、
複数の前記液体フローは、それぞれが関係する光学的変調特性を有する硬化可能な液体材料のフローであり、少なくとも一つの前記液体フローは磁性顔料を含む、少なくとも二つの液体フローを設ける手段と、
ｃ）前記液体フローを前記少なくとも一つのセパレータ部材の前記端縁領域の外側で合流し、各液体が並列して含まれる液だめ部を形成する手段と、
ｄ）前記液だめ部から外側にほぼ面状に延伸し、前記液だめ部からの各前記液体が並列して含まれる自由噴流を形成する手段と、
ｅ）磁界を設ける手段と、
ｆ）前記自由噴流の少なくとも一部を、前記自由噴流に直交するよう整列している前記磁界内に通過させることにより、前記磁性顔料を磁化する手段と、
を有することを特徴とする回転エレメント製造装置。
【請求項６】  回転エレメントシート材料の製造方法であって、
ａ）表面と、前記表面内に少なくとも一つの回転可能なエレメントとを有する基板を含むシート材料のシートを備えるステップであって、
各前記エレメントが、光学的および電気的異方性を有し、少なくとも二つの部分を含み、少なくとも一つの前記部分が磁化されている、シートを備えるステップと、
ｂ）前記少なくとも一つのエレメントを、前記少なくとも一つの磁化部分が前記表面に向くよう配置するステップと、
ｃ）複数の磁性粒子を含む硬化可能な混合物の層を、前記表面に設けるステップと、
ｄ）前記複数の磁性粒子の少なくとも一部を、前記回転エレメントの前記磁化部分に近い前記層内の領域へ移動させるステップと、
ｅ）前記層を固体化し、前記回転エレメントの前記磁化部分に近いの前記層内に前記複数の磁性粒子の少なくとも一部を閉じ込め、磁性パッドを形成するステップと、
を有することを特徴とする回転エレメントシート材料製造方法。
【請求項７】  回転エレメントシート材料の製造方法であって、
ａ）複数の回転エレメントの磁化部分に複数の磁性粒子を脱着可能に付着させるステップであって、
各前記エレメントが、光学的および電気的異方性を有し、少なくとも二つの部分を含み、少なくとも一つの前記部分が磁化されている、付着させるステップと、
ｂ）前記複数の回転エレメントおよび付着した前記磁性粒子を、固体に硬化可能な非固体材料と混合し、前記エレメントおよび前記材料の混合物を作成するステップと、
ｃ）前記混合物で、表面を有する層を形成するステップと、
ｄ）前記複数の回転エレメントが実質的に共通の方向に整列するよう、前記複数のエレメントおよび前記付着粒子を方向づけるステップと、
ｅ）前記材料を硬化することで、前記材料のスラブ内に前記エレメントおよび前記付着磁性粒子を閉じ込めるステップと、
ｆ）前記粒子を内部に閉じ込めた前記スラブを、誘電性可塑剤の浴に分散させるステップであって、
前記粒子に比べて前記固体化した材料が前記誘電性可塑剤をより容易に吸収し、前記固体化材料が膨張することで、前記エレメントの周囲に前記可塑剤が充填された空隙が形成され、それにより前記エレメントは前記スラブ内で回転運動はできるが並進移動は実質的にできず、
前記磁性粒子は、前記エレメントから脱着され、前記固体化材料内に組み入れられ、その各々が一つのエレメントに関係する複数の磁性体パッドを形成するステップと、
を有することを特徴とする回転エレメントシート材料製造方法。
【請求項８】  回転エレメントシート材料の製造方法であって、
ａ）複数の回転エレメントおよび磁性粒子を、固体に硬化可能な非固体材料と混合し、前記回転エレメント、前記磁性粒子、および前記材料の混合物を作成するステップであって、
各前記エレメントが、光学的および電気的異方性を有し、少なくとも二つの部分を含み、少なくとも一つの前記部分が磁化されている、作成するステップと、
ｂ）前記混合物で、表面を有する層を形成するステップと、
ｃ）前記複数の回転エレメントが実質的に共通の方向に整列するよう方向づけるステップと、
ｄ）前記複数の磁性粒子の少なくとも一部を、前記回転エレメントの前記磁化部分に近い前記層内の領域へ移動させるステップと、
ｅ）前記材料を硬化することで、前記材料のスラブ内に前記エレメントおよび付着した前記磁性粒子を閉じ込めるステップと、
ｆ）前記粒子を内部に閉じ込めた前記スラブを、誘電性可塑剤の浴に分散させるステップであって、
前記粒子に比べて前記固体化した材料が前記誘電性可塑剤をより容易に吸収し、前記固体化材料が膨張することで、前記エレメントの周囲に前記可塑剤が充填された空隙が形成され、それにより前記エレメントは前記スラブ内で回転運動はできるが並進移動は実質的にできず、
前記磁性粒子は、前記エレメントから脱着され、前記固体化材料内に組み入れられ、その各々が一つのエレメントに関係する複数の磁性体パッドを形成するステップと、
を有することを特徴とする回転エレメントシート材料製造方法。
【手続補正２】
【補正対象書類名】明細書
【補正対象項目名】０１３５
【補正方法】変更
【補正の内容】
【０１３５】
上記の概念は、数種の手法によって実現できる。たとえば、すでに周知の上述のような電界供給方法およびジリコンシートアドレス方法に、十分な強さのシート状磁石またはスキャン磁石を組み合わせてもよい。スキャンアドレスシステムは、従来から周知のスキャンアドレスシステムに、同じようにスキャンされる磁石を組み合わせることによって作成できる。磁界は、永久磁石、コイル内を流れる電流によって励磁される電磁石、または磁界を生成する他のいずれかの方法によって生成できる。
＜付記＞
（１）回転エレメントシート材料のシートのアドレス方法であって、
ａ）回転エレメントシート材料のシートを備えるステップであって、
ｉ）二つの互いに反対側に位置する表面を含む基板と、
ｉｉ）前記基板内に設けられ少なくとも一つのエレメントであって、
少なくとも二つの部分から成り、
各前記部分はそれぞれ関係する光学的変調特性を有し、
少なくとも一つの前記部分の光学的変調特性は少なくとも一つの別の前記部分の光学的変調特性と異なり、
一つの前記部分は磁化されており、
前記エレメントは異方性を有することで電気的双極子モーメントを生成し、
前記電気的双極子モーメントが生成される中で前記回転エレメントが電界内に回転可能に配置される場合に、前記電気的双極子モーメントが前記電界に整列する向きへ前記エレメントが回転する傾向を帯びるという電気的応答性を、前記電気的双極子モーメントによって得る、少なくとも一つのエレメントと、
ｉｉｉ）前記回転エレメントに関係する追加の磁化された手段であって、前記エレメントの前記磁化部分が前記追加の磁化手段に最も近いエレメント部分になるように向けられた場合に、前記追加の磁化手段と前記エレメントの前記磁化部分との間に磁性誘引力が存在する、追加の磁化手段と、
を有するシートを備えるステップと、
ｂ）前記少なくとも一つの回転可能なエレメントおよび前記追加の磁化手段の付近に磁界を印加し、それらの間に存在する前記磁性誘引力を減少させるステップと、
ｃ）前記少なくとも一つの回転可能なエレメントの付近に電界を印加し、前記少なくとも一つの回転可能なエレメントを前記電界に整列させるステップと、
を有することを特徴とするアドレス方法。